(57)【特許請求の範囲】
【請求項１】
番組抽出手段と、
録画予約候補選択手段と、
録画予約履歴データベースと、
ユーザインターフェース部と
を備え、
放送される番組を録画予約する録画装置であって、
前記放送される番組の中で、シリーズ番組として放送される複数の番組のうち、ある特定のシリーズ番組が前記番組抽出手段によって抽出され、録画予約された場合において、
前記番組抽出手段によって、前記特定のシリーズ番組のいずれかの放送回と、前記いずれかの放送回のうち一の放送回と重複して放送される番組とが抽出された時、
前記録画予約候補選択手段が、前記録画予約の対象になっている番組について録画予約の優先度を決定するための選択画面を前記ユーザインターフェース部に生成し、ユーザからの優先度を決定する入力が前記選択画面にない場合、前記録画予約履歴データベースのデータに基づいて、過去に視聴又は録画した番組に付随する情報に共通する部分の多い番組ほど優先度が高くなるように、前記録画予約の対象になっている番組について録画予約の優先度を決定する
ことを特徴とする録画装置。
【請求項２】
請求項１に記載の録画装置であって、
前記いずれかの放送回のうち一の放送回と重複して放送される番組とは、
前記録画予約されたシリーズ番組のいずれかの放送回の時間帯に一部でも重なる番組である
ことを特徴とする録画装置。
【請求項３】
請求項１又は２に記載の録画装置であって、
更に、録画制御手段を備え、
前記録画予約されたシリーズ番組のいずれかの放送回の録画が完了した時、
前記録画制御手段が、前記録画予約の対象になっている番組について録画予約の優先度を決定するための選択画面を前記ユーザインターフェース部に生成する
ことを特徴とする録画装置。
【請求項４】
請求項１から３のいずれか１項に記載の録画装置であって、
更に、再生制御手段を備え、
前記録画予約されたシリーズ番組のいずれかの放送回の録画を再生完了した時、
前記再生制御手段が、前記録画予約の対象になっている番組について録画予約の優先度を決定するための選択画面を前記ユーザインターフェース部に生成する
ことを特徴とする録画装置。
【請求項５】
請求項４に記載の録画装置であって、
前記再生制御手段が、前記録画予約の対象になっている番組について録画予約の優先度を決定するための選択画面を前記ユーザインターフェース部に生成する場合は、最初の再生完了した時のみである
ことを特徴とする録画装置。
【請求項６】
放送される番組を録画予約する録画装置において、録画予約の優先度を決定する録画方法であって、
前記放送される番組の中で、シリーズ番組として放送される複数の番組のうち、ある特定のシリーズ番組が録画予約された場合において、
番組抽出手段によって、前記特定のシリーズ番組のいずれかの放送回のうち一の放送回と重複して放送される番組を抽出する第１のステップと、
前記第１のステップによって抽出された番組と、前記録画予約の対象になっている番組との録画予約の優先度を決定するための選択画面を生成する第２のステップと、
ユーザからの優先度を決定する入力が前記選択画面にない場合、録画予約履歴データベースのデータに基づいて、過去に視聴又は録画した番組に付随する情報に共通する部分の多い番組ほど優先度が高くなるように、前記録画予約の対象になっている番組について録画予約の優先度を決定する第３のステップと、
を備えていることを特徴とする録画方法。
【請求項７】
録画予約履歴データベースと、
ユーザインターフェース部とを備え、
放送される番組を録画予約する録画装置を、
番組抽出手段と、
録画予約候補選択手段として動作させるための録画プログラムであって、
前記放送される番組の中で、シリーズ番組として放送される複数の番組のうち、ある特定のシリーズ番組が前記番組抽出手段によって抽出され、録画予約された場合において、
前記番組抽出手段によって、前記特定のシリーズ番組のいずれかの放送回と、前記いずれかの放送回のうち一の放送回と重複して放送される番組とが抽出された時、
前記録画予約候補選択手段が、前記録画予約の対象になっている番組について録画予約の優先度を決定するための選択画面を前記ユーザインターフェース部に生成し、ユーザからの優先度を決定する入力が前記選択画面にない場合、前記録画予約履歴データベースのデータに基づいて、過去に視聴又は録画した番組に付随する情報に共通する部分の多い番組ほど優先度が高くなるように、前記録画予約の対象になっている番組について録画予約の優先度を決定する
ように動作させるための録画プログラム。
【発明の詳細な説明】
【技術分野】
【０００１】
本発明は、受信した番組を録画する録画装置であって、特に、電子番組ガイド情報などに基づいて録画する番組を決定する録画装置、録画方法、および、録画プログラムに関する。
【背景技術】
【０００２】
かつて、連続ドラマのようなシリーズ番組を録画予約する場合、ユーザは、番組が放送される時間帯や放送間隔（毎週や毎日など）を指定していた。しかしながら、この方法では、録画する時間帯が固定されるため、番組の放送される時間帯がずれた場合には、所望の番組を録画することができなかった。
【０００３】
また、一度録画予約の登録したことがある番組について、予め取得している翌週の番組データを基に近辺の時間帯から同一タイトルの番組を検出し、次の放送回の録画予約の時間帯を決定する「追跡録画予約」という方式が提案されている。この方式によれば、毎週放送される番組の録り逃がしを回避することができるだけでなく、週によって番組が放送される時間帯がずれるような場合においても、予約した番組を確実に録画することができる（特許文献１参照）。
【０００４】
ところが、上記の「追跡録画予約」方式による録画予約では、毎週放送される番組の録り逃がしを回避するためのものなので、一度録画予約の登録がなされた番組に限られる。そのため、前回の番組が存在しない番組、例えば、シリーズ番組の第１回の放送については、ユーザにとって魅力的な番組であるか不明であり、録画の対象となっていない可能性もある。そうした場合、「追跡録画予約」方式を利用して録り逃がしを回避することは困難である。
【０００５】
そこで、この課題を解決するため、特許文献２では、ユーザによる録画予約の登録がなされることなくシリーズ番組の第１回の放送を録画する方式が提示されている。詳細に説明すると、特許文献２に記載の録画装置は、録画対象の番組が、シリーズ番組として放送される複数の番組のうち、第１回目に放送される番組か否かを判定する機能を有しており、その判定手段により、第１回目の放送番組を録画することができる。
【先行技術文献】
【特許文献】
【０００６】
【特許文献１】特開平１１−８６３７７号公報
【特許文献２】特開２００７−３３６３０１号公報
【発明の概要】
【発明が解決しようとする課題】
【０００７】
さて、上述したような従来技術により、シリーズ番組を第一回から最終回まで録画予約することは可能である。しかしながら、同じ時間帯において、別のチャンネルで、新しくシリーズ番組がスタートする場合、どちらのシリーズ番組を録画予約するかについて、ユーザの優先度を考慮して録画番組を選択することについては、未だ明確な解決手段が公開されていない。また、ある時間帯のシリーズ番組を録画している場合に、その時間帯に、別にチャンネルで、新たなにスタートするシリーズ番組や特番が放送されるとなったとき、これまで録画予約してきたシリーズ番組を継続して録画していくか否かについても、同様に、明確な解決手段が公開されていない。
【０００８】
そこで、本願の目的は、シリーズ番組を録画予約する機能を有する録画装置において、シリーズ番組を録画予約している場合、他の番組によって録画予約が重複する状態になっても、ユーザにとって最適な番組を録画予約する録画装置を提供することである。
【課題を解決するための手段】
【０００９】
本発明の一態様は、番組抽出手段と、録画予約候補選択手段と、録画予約履歴データベースと、ユーザインターフェース部とを備え、放送される番組を録画予約する録画装置であって、前記放送される番組の中で、シリーズ番組として放送される複数の番組のうち、ある特定のシリーズ番組が前記番組抽出手段によって抽出され、録画予約された場合において、前記番組抽出手段によって、前記特定のシリーズ番組のいずれかの放送回と、前記いずれかの放送回のうち一の放送回と重複して放送される番組とが抽出された時、前記録画予約候補選択手段が、前記録画予約の対象になっている番組について録画予約の優先度を決定するための選択画面を前記ユーザインターフェース部に生成し、ユーザからの優先度を決定する入力が前記選択画面にない場合、前記録画予約履歴データベースのデータに基づいて、過去に視聴又は録画した番組に付随する情報に共通する部分の多い番組ほど優先度が高くなるように、前記録画予約の対象になっている番組について録画予約の優先度を決定することを特徴とする。
【発明の効果】
【００１１】
本発明によれば、シリーズ番組を録画予約する機能を有する録画装置において、シリーズ番組を録画予約している場合、他の番組によって録画予約が重複する状態になっても、ユーザにとって最適な番組を録画予約することができるようになる。
【図面の簡単な説明】
【００１２】
【図１】本実施形態である録画装置の構成を示すブロック図である。
【図２】本実施形態の重複録画予約における優先度の決定フローを示す図である。
【図３】本実施形態の録画完了時における優先度の決定フローを示す図である。
【図４】本実施形態の再生完了時における優先度の決定フローを示す図である。
【図５】本実施形態の録画装置による番組録画予約の優先度を判定するフローを示す図である。
【発明を実施するための形態】
【００１３】
以下に、図面を参照して本発明の実施形態について詳細に説明する。図１は、本発明の実施形態に係る録画装置１００の構成を示すブロック図である。録画装置１００は、チューナ１０１と、番組情報取得部１１０と、ＥＰＧデータ蓄積部１２０と、録画予約履歴データベース（以下、録画予約履歴ＤＢと略す）１２２と、録画予約管理データベース（以下、録画予約管理ＤＢと略す）１２４と、録画済み番組記録部１２６と、新番組抽出部１３０と、連続番組抽出部１４０と、録画予約候補選択部１５０と、録画予約更新部１６０と、録画制御部１７０と、再生制御部１８０と、ユーザインターフェース１９０などで構成されている。
【００１４】
次に、図２〜図５を参照して、録画装置１００の動作について説明する。
【００１５】
まず、図２を用いて、複数の番組が重複録画予約される場合に、どの番組を録画予約するかを選択するフロー、即ち、重複録画予約における優先度の決定フローについて説明する。
【００１６】
ここで、このフローが実行される前に、シリーズ番組である番組Ａが既に、録画予約されているものとする。
【００１７】
番組情報取得部１１０が、チューナ１０１を経由して番組情報を取得し、ＥＰＧデータ蓄積部１２０に蓄積する（ステップＳ２０１）。次に、新番組抽出部１３０が、ある特定のタイミングで、ＥＰＧデータ蓄積部１２０から、新番組を抽出する（ステップＳ２０２）。ここで、抽出した新番組を以下、番組Ｂと称することとする。
【００１８】
連続番組抽出部１４０は、番組Ｂの第２回目以降について検索を行う。番組Ｂが単発番組であるか、それともシリーズ番組で、何話か番組が連続して放送されるかを確認する（ステップＳ２０３）。
【００１９】
録画予約候補選択部１５０は、番組Ｂが、先に録画予約されたシリーズ番組の番組Ａと重複した場合、このステップより先の重複処理を行う。番組Ｂが番組Ａと重複しない場合は、そのままの状態であり、このフローは終了する（ステップＳ２０４）。
【００２０】
録画予約候補選択部１５０は、ユーザインターフェース１９０において、ユーザに対し、番組Ａと番組Ｂのどちらの録画予約を優先させるかを問いかける（ステップＳ２０５）。
【００２１】
ユーザは、ユーザインターフェース１９０において、番組Ａと番組Ｂのどちらの録画予約を優先させるかについての入力を行う（ステップＳ２０６）。ここで、ユーザの入力が無い場合は、ステップＳ２０７へ進み、録画装置１００が優先度判定処理を行うが、その詳細な説明は、後述の図５にて行う。
【００２２】
ステップＳ２０６で、ユーザからの入力がある場合は、ステップＳ２０８に進む。ステップＳ２０８で、これまでの録画予約の優先度に変更があれば、優先度の高い番組を録画予約管理ＤＢ１２４に登録する（ステップＳ２１０）。一方、これまでの録画予約の優先度に変更が無ければ、録画予約管理ＤＢ１２４は、現状のままの状態にしておく（ステップＳ２０９）。
【００２３】
図３を用いて、先に録画予約したシリーズ番組の少なくとも初回放送が録画完了した際に、新たに録画予約の対象となる番組が抽出された場合、どちらの番組を録画予約するかを選択するフロー、即ち、録画完了時における優先度の決定フローについて説明する。
【００２４】
このフローが実行される前に、シリーズ番組である番組Ａが既に、録画予約されているものとする。その番組Ａの録画が完了する（ステップＳ３０１）。
【００２５】
この録画が完了した時点で、新たに、番組Ａと重複する番組Ｂが録画予約の対象になった場合、録画制御部１７０は、ユーザインターフェース１９０において、番組Ａの録画予約の優先度を変更するか否かをユーザに問いかける（ステップＳ３０２）。一般に、最新の録画装置では、新たに録画予約となる番組（ここでは、Ｂ番組）の優先度が高い。
【００２６】
番組Ａの録画予約の優先度が変更される場合、ユーザインターフェース１９０から入力された内容が、録画予約候補選択部１５０を介して、録画予約更新部１６０に到達し、録画予約管理ＤＢ１２４の情報を更新する。具体的には、番組Ａが番組Ｂより、優先度を高く設定する場合、録画予約管理ＤＢ１２４では、番組Ａの録画予約が維持され、番組Ｂの録画予約は、行われないこととなる。一方で、特に優先度の変更が行われない場合は、そのままの状態である（ステップＳ３０３）。
【００２７】
図４を用いて、先に録画予約したシリーズ番組の少なくとも初回放送が再生完了した際に、新たに録画予約の対象となる番組が抽出された場合、どちらの番組を録画予約するかを選択するフロー、即ち、再生完了時における優先度の決定フローについて説明する。
【００２８】
このフローが実行される前に、シリーズ番組である番組Ａが既に、録画予約されているものとする。その番組Ａの再生が完了する（ステップＳ４０１）。
【００２９】
再生制御部１８０は、過去に番組Ａに関して、優先度変更の確認をユーザに対して行ったかを判定し、行っていない場合は、次のステップＳ４０３へ進む。また、行っている場合は、そのままの状態であり、ここで、フローは終了する（ステップＳ４０２）。
【００３０】
次に、再生制御部１８０は、番組Ａの再生が完了した時点で、新たに、番組Ａと重複する番組Ｂが録画予約の対象になった場合、ユーザインターフェース１９０において、番組Ａの録画予約の優先度を変更するか否かをユーザに問いかける（ステップＳ４０３）。一般に、最新の録画装置では、新たに録画予約となる番組（ここでは、Ｂ番組）の優先度が高い。
【００３１】
番組Ａの録画予約の優先度が変更される場合、ユーザインターフェース１９０から入力された内容が、録画予約候補選択部１５０を介して、録画予約更新部１６０に到達し、録画予約管理ＤＢ１２４の情報を更新する。具体的には、番組Ａが番組Ｂより、優先度を高く設定する場合、録画予約管理ＤＢ１２４では、番組Ａの録画予約が維持され、番組Ｂの録画予約は、行われないこととなる。一方で、特に優先度の変更が行われない場合は、そのままの状態である（ステップＳ４０４）。
【００３２】
図５は、録画装置１００が自動で、番組録画予約の優先度を判定するフローを示している。上述した図１のステップＳ２０７に相当する。
【００３３】
このフローが実行される前に、シリーズ番組である番組Ａの少なくとも初回放送が既に、録画予約されているものとする。そこに、新たに、番組Ａと重複する番組Ｂが録画予約の対象になった場合を想定する。
【００３４】
録画予約候補選択部１５０は、番組Ａと番組Ｂに関連する、過去に視聴、または、録画した番組の履歴を録画予約履歴ＤＢ１２２から取得する（ステップＳ５０１）。
【００３５】
録画予約候補選択部１５０は、番組Ａと番組Ｂの重複している時間帯において、過去に視聴、または、録画した番組のジャンル、出演者、監督、脚本家などから共通する部分があれば、共通部分の多さに応じて、優先度に関する重み付けを増し、優先度を上げる。これに対して、上記の過去に録画した番組を一度も再生せず、削除した場合は、逆に、優先度に関する重み付けを減らし、優先度を下げる（ステップＳ５０２）。
【００３６】
録画予約更新部１６０は、ステップＳ５０２の優先度の重み付け処理の結果から、優先度の高い番組を録画予約するように、録画予約管理ＤＢ１２４の情報を更新する（ステップＳ５０３）。
【００３７】
以上、実施の形態を説明してきたが、特許請求の範囲に定義された本発明の広範囲な趣旨およびその範囲から逸脱することなく、これらの実施の形態や具体例に様々な修正および変更が可能である。
【符号の説明】
【００３８】
１００    録画装置
１０１    チューナ
１１０    番組情報取得部
１２０    ＥＰＧデータ蓄積部
１２２    録画予約履歴データベース
１２４    録画予約管理データベース
１２６    録画済み番組記録部
１３０    新番組抽出部
１４０    連続番組抽出部
１５０    録画予約候補選択部
１６０    録画予約更新部
１７０    録画制御部
１８０    再生制御部
１９０    ユーザインターフェース
【図１】
0005469974.tif 000002
【図２】
0005469974.tif 000003
【図３】
0005469974.tif 000004
【図４】
0005469974.tif 000005
【図５】
0005469974.tif 000006